(57)【要約】【課題】部品が寿命を迎えるまでの寿命残時間を報知することで、効率的かつ計画的な修理点検を可能にし、故障を未然に防ぐことのできる給湯器を得ること。【解決手段】本発明の給湯器１は、部品ごとの使用時間を計測する計測手段１３と、部品ごとに予め定められた寿命時間１９を記憶する記憶手段１２と、寿命時間から使用時間を減算して部品ごとの寿命残時間２４を算出する演算手段１４と、前記寿命残時間を報知する報知手段１１と、を有する。【選択図】        図２
2010002146.tif 000002
【特許請求の範囲】
【請求項１】
部品ごとの使用時間を計測する計測手段と、
部品ごとに予め定められた寿命時間を記憶する記憶手段と、
前記寿命時間から前記使用時間を減算して前記部品ごとの寿命残時間を算出する演算手段と、
前記寿命残時間を報知する報知手段と、を有することを特徴とする給湯器。
【請求項２】
前記演算手段が、前記寿命残時間を部品ごとの１日あたりの平均使用時間で除して部品ごとの寿命残日数を算出し、
前記報知手段が、前記寿命残日数を報知することを特徴とする請求項１に記載の給湯器。
【請求項３】
一の部品の使用時間が寿命時間を超えた場合に、該一の部品の交換を警告する警告手段と、
前記寿命残日数と予め定められた閾値とを比較する比較手段と、をさらに有し、
前記警告手段が、前記比較手段による比較結果により前記閾値よりも前記寿命残日数が少なくなっていると判断される他の部品がある場合に、前記一の部品の交換の警告とともに前記他の部品の交換の警告をすることを特徴とする請求項２に記載の給湯器。
【請求項４】
前記記憶手段が、定期点検日までの日数を記憶しており、
前記演算手段が、所定時刻に前記定期点検日までの日数を減算し、
前記比較手段が、前記寿命残日数と前記定期点検日までの日数とを比較し、
前記警告手段が、前記定期点検日までの日数が所定日数となった際に、定期点検を行うことを促す注意喚起をするとともに、前記比較手段による比較結果により、前記注意喚起に基づく定期点検とその次の定期点検との間に寿命を迎えると判断される部品がある場合に、その部品の交換を促す注意喚起をすることを特徴とする請求項３に記載の給湯器。
【発明の詳細な説明】
【技術分野】
【０００１】
本発明は、部品が寿命を迎えて故障する前に部品の交換を促す注意喚起や警告を行う機能を有する給湯器に関するものである。
【背景技術】
【０００２】
本発明の背景として、例えば特許文献１に示されるように、部品が寿命を迎える時期として予め設定された情報と、部品の使用開始時点又は交換時点から現在までに、その部品が使用された時間を積算する積算手段を有するとともに、それらの情報を記憶する記憶手段を有し、部品が使用された累積時間が予め設定された寿命を超えると、使用者に警告を行うことにより、故障を防ぐものがある。
【０００３】
【特許文献１】特開２０００−１５４９４０号公報
【発明の開示】
【発明が解決しようとする課題】
【０００４】
しかしながら、このような給湯器では、個々の部品ごとに寿命を判定し、その部品が予め設定された寿命を超えてから警告を行うので、各部品が実際に寿命を迎えなければ警告がなされない。例えば、ある部品が予め設定された寿命を超えたために警告が行われた際に、その警告時点からあまり時間を置かずに寿命を迎える他の部品があったとしても警告は行われない。したがって、１つ１つの部品が寿命を迎えるたびに、その都度部品交換を行わなければならず、保守や修理を行う者にとっても、また、使用者にとっても非効率であるという問題がある。
【０００５】
本発明は、上記に鑑みてなされたものであって、部品が寿命を迎えるまでの寿命残時間を報知することで、効率的かつ計画的な修理点検を可能にし、故障を未然に防ぐことのできる給湯器を得ることを目的とする。
【課題を解決するための手段】
【０００６】
本発明に係る給湯器は、部品ごとの使用時間を計測する計測手段と、部品ごとに予め定められた寿命時間を記憶する記憶手段と、寿命時間から使用時間を減算して部品ごとの寿命残時間を算出する演算手段と、前記寿命残時間を報知する報知手段と、を有する。
【発明の効果】
【０００７】
本発明によれば、保守・点検・修理を行う者や給湯器の使用者が、部品の寿命残時間を知ることができるため、効率的かつ計画的な修理・点検が可能であり、故障を未然に防ぐことのできる給湯器を得ることができる。
【発明を実施するための最良の形態】
【０００８】
以下に、本発明に係る給湯器の実施の形態を図面に基づいて詳細に説明する。なお、この実施の形態によりこの発明が限定されるものではない。
【０００９】
実施の形態．
本発明の実施の形態に係る給湯器の構成および動作について説明する。図１は実施の形態に係る給湯器の概略構成を示すブロック図である。
【００１０】
給湯器１は、貯湯タンク２、減圧弁３、逃し弁４、混合弁５、流量センサ６、温度センサ７、マイコン１０を有して大略構成されている。また、給湯器１にはリモコン１１が接続されている。貯湯タンク２は、湯や水を溜めておくものである。減圧弁３と逃し弁４は、貯湯タンク２内の圧力を制御するためのものである。混合弁５は、湯と水を混合して設定された温度の湯（以下、混合湯という）を生成するためのものである。流量センサ６は、混合湯の給湯量を計測するためのものである。温度センサ７は、混合弁５を制御するために混合湯の温度を計測するためのものである。
【００１１】
貯湯タンク２の下部及び混合弁５には、図示しない給水源に一方を接続された給水配管８ｂが減圧弁３を介して水圧を調整されて接続されている。給水配管８ｂを介して貯湯タンク２及び混合弁５に水が給水される。貯湯タンク２の上部と混合弁５は給湯配管８ａで接続されている。混合弁５からは、混合湯配管８ｃが延びている。
【００１２】
給水配管８ｂを介して供給された水は、ヒートポンプユニットなどの図示しない加熱手段により加熱されて貯湯タンク２内に湯として貯められ、給湯配管８ａを介して混合弁５に供給される。混合弁５は、貯湯タンク２から供給された湯と給水配管８ｂを介して供給された水とを混合して混合湯を生成する。混合弁５で生成された混合湯は、混合湯配管８ｃを介して、図示しない風呂やキッチン等に供給される。
【００１３】
リモコン１１は、給湯器１を遠隔操作するためのものであって、各種設定表示や後述する注意喚起表示等を表示する表示部１１ａと、給湯器１に給湯温度等を指示する際に操作するボタン１１ｂを有している。
【００１４】
図２は、マイコン１０及びリモコン（報知手段）１１の概略構成を示すブロック図である。マイコン１０は、記憶手段１２、タイマ（計測手段）１３、演算手段１４、比較手段１５、判断手段（警告手段）１６、認識手段１７、リセット手段１８を有している。
【００１５】
記憶手段１２には、部品の交換を注意喚起したり部品の交換を警告したりするために必要な複数の情報が書き換え可能に保存されている。記憶手段１２は、保存されている情報の内容が電源ＯＦＦになっても消去されないものであり、例えば、不揮発性ＲＡＭや長寿命電池内蔵のＲＡＭ等が用いられる。なお、本願では、「警告」は交換が必要な部品を特定して部品交換の必要性を報知し、「注意喚起」は交換が必要となる部品が存在することを報知するものとして説明する。したがって、「注意喚起」よりも「警告」のほうが部品交換の必要性を強く伝えるものとなっている。
【００１６】
記憶手段１２には、部品の寿命時間１９、部品の過去１日間の使用時間２０、部品の累積使用時間２１、部品の過去７日間の使用時間２２、部品の寿命残時間２４、部品の寿命残日数２５、次回点検日までの日数（定期点検日までの日数）２６、次々回点検日までの日数（定期点検日までの日数）２７、部品交換注意喚起の対象となる部品の有無２８が保存されている。
【００１７】
「部品の寿命時間１９」は、給湯器１が備える減圧弁３等の部品の寿命、つまり部品の使用開始から交換が必要になるまでの部品の累積使用時間を意味する。「部品の寿命時間１９」は、部品ごとに異なる。「部品の寿命時間１９」は、一般的にその部品が故障するとされている時間として設定してもよいし、安全を考えて部品が故障するまでの時間よりも短く設定してもよい。
【００１８】
「部品の過去１日間の使用時間２０」は、部品が前日の１日間に使用された時間を示す。本実施の形態では、前日の朝７：００から当日の朝７：００（所定時刻）までを１日としており、その間に部品が使用された時間を「部品の過去１日間の使用時間２０」としている。
【００１９】
「部品の過去７日間の使用時間２２」は、過去７日分の「部品の過去１日間の使用時間２０」を合算したものである。また、「部品の累積使用時間２１」は、その部品が使用を開始されてから現時点までに使用された累積時間を示す。「部品の１日あたりの平均使用時間２３」は、過去７日間における１日あたりの部品の平均使用時間を示す。「部品の１日あたりの平均使用時間２３」は、「部品の過去７日間の使用時間２２」を累積日数である「７」で除すことで算出される。なお、「部品の過去７日間の使用時間２２」の累積日数を大きく設定すれば、「部品の１日あたりの平均使用時間２３」の精度を増すことができる。
【００２０】
「部品の寿命残時間２４」、「部品の寿命残日数２５」は、各部品が寿命を迎えるまでの残り時間や日数を示す。「部品の寿命残時間２４」は、「部品の寿命時間１９」から「部品の累積使用時間２１」を減算することで算出される。「部品の寿命残日数２５」は、「部品の寿命残時間２４」を「部品の１日あたりの平均使用時間２３」で除すことで算出される。
【００２１】
これら、「部品の寿命時間１９」、「部品の過去１日間の使用時間２０」、「部品の累積使用時間２１」、「部品の過去７日間の使用時間２２」、「部品の寿命残時間２４」、「部品の寿命残日数２５」は、給湯器１が備える部品ごと、つまり、減圧弁３、逃し弁４、混合弁５、流量センサ６、温度センサ７等ごとに計測・算出されて記憶手段１２に保存される。
【００２２】
「次回点検日までの日数２６」、「次々回点検日までの日数２７」は、保守・修理・点検を行う者に対して定期点検を促す「定期点検注意喚起」を行うまでの日数を示す。給湯器１の定期点検の間隔が仮に３０日間である場合、給湯器１の使用開始時点では「次回点検日までの日数２６」は「３０」となる。毎朝７：００を過ぎる度に「次回点検日までの日数２６」から「１」が減算されて上書き保存される。これを繰り返し、「次回点検日までの日数２６」が「０」（所定日数）になった時が定期点検日となり、給湯器１の部品の定期点検を行うように、定期点検注意喚起を行う。定期点検注意喚起は、リモコン１１の表示部１１ａに定期点検注意喚起表示が表示されることで行われる。定期点検注意喚起を行った後に、「次回点検日までの日数２６」が「３０」にリセットされる。なお、「次々回点検日までの日数２７」は、「次回点検日までの日数２６」に「３０」を加えたものとして、算出される。
【００２３】
「部品交換注意喚起の対象となる部品の有無２８」は、次回定期点検日に部品交換を促す部品交換注意喚起を行うべき部品の有無を示す情報である。「部品交換注意喚起の対象となる部品の有無２８」は、部品交換注意喚起を行うべき部品が１つでもあれば「有」とされる。
【００２４】
タイマ１３は、給湯器１が備える減圧弁３等の各部品の使用時間を計測する。タイマ１３によって計測された、前日の朝７：００から当日の朝７：００になるまでの各部品の使用時間が「部品の過去１日間の使用時間２０」となる。
【００２５】
演算手段１４は、各種演算を行う機能を有する。演算手段１４は、記憶手段１２に保存された値を用いて、制御上必要となる各値を演算する。具体的には、「部品の過去１日あたりの使用時間２０」、「部品の累積使用時間２１」、「部品の寿命残時間２４」、「部品の寿命残日数２５」、「次回点検日までの日数２６」、「次々回点検日までの日数２７」などの値が演算手段１４によって算出され、その結果は必要に応じ、記憶手段１２に上書き等されて保存される。
【００２６】
比較手段１５は、記憶手段１２に保存されている各種値の大小を制御の必要に応じ比較する。例えば、比較手段１５は、「次回点検日までの日数２６」と「部品の寿命残日数２５」とを比較する。ここで、比較結果が「部品の寿命残日数２５」≦「次回点検日までの日数２６」の場合には、その部品は次回点検日の前に寿命を迎えることを意味する。「次回点検日までの日数２６」＜「部品の寿命残日数２５」≦「次々回点検日までの日数２７」の場合には、その部品は次回点検日までには寿命を迎えないものの、次々回の点検日までには寿命を迎えることを意味する。「次々回点検日までの日数２７」＜「部品の寿命残日数２５」であれば、当面部品交換は不要であることを意味する。
【００２７】
判断手段１６は、記憶手段１２に記憶された各種情報から各部品が寿命を迎えたか否かを判断したり、比較手段１５による比較結果等から次に行うべき制御を選択したりする。
【００２８】
判断手段１６は、比較手段１５による比較結果が「部品の累積使用時間２１」≧「各部品の寿命時間１９」となった場合には、その部品は寿命を迎えたと判断し警告を行う。具体的には、判断手段１６は、リモコン１１の表示部１１ａに部品交換警告表示を表示させる。部品交換警告表示として、例えば「混合弁の交換時期です」と表示させる。
【００２９】
判断手段１６は、部品交換警告表示をさせる際に、あまり時間を置かずに交換が必要となる部品があるか否かを判断する。本実施の形態では、半年以内に交換が必要となる部品があるか否かについて判断する。具体的には、比較手段１５に各部品の「部品の寿命残日数２５」と、約半年分の日数である１８２（閾値）とを比較させる。ここで、「部品の寿命残日数２５」が１８２以下となる部品があれば、その部品についてもリモコン１１の表示部１１ａに部品交換警告表示を表示させる。
【００３０】
判断手段１６は、比較手段１５の比較結果が「次回点検日までの日数２６」＜「部品の寿命残日数２５」≦「次々回点検日までの日数２７」となった場合に、「部品交換注意喚起の対象となる部品の有無２８」を「有」とする。
【００３１】
判断手段１６は、比較手段１５の比較結果が「部品の寿命残日数２５」≦「次回点検日までの日数２６」の場合又は「次々回点検日までの日数２７」＜「部品の寿命残日数２５」の場合には、「部品交換注意喚起の対象となる部品の有無２８」を「無」のままとし、書き換えは行わない。
【００３２】
また、判断手段１６は、「次回点検日までの日数２６」が「０」になると、定期点検日であると判断し、リモコン１１の表示部１１ａに定期点検注意喚起表示として、例えば「定期点検を行ってください」と表示させる。なお、定期点検日の１日前に定期点検を注意喚起する場合には「次回点検日までの日数２６」が「１」となった場合に定期点検注意喚起表示を行うように構成すればよく、その数値は適宜変更可能である。
【００３３】
判断手段１６は、定期点検日において、「部品交換注意喚起の対象となる部品の有無２８」が「有」となっている場合には、次の定期点検日までに寿命を迎える部品について部品交換注意喚起を行う。例えば、リモコン１１の表示部１１ａに「寿命の近い部品があります」と表示される。部品交換注意喚起がなされた場合には、保守・点検・修理を行う者は「部品の寿命残日数２５」等を確認して、具体的に各部品について交換の必要があるか否かを判断することができる。注意喚起の対象となる部品が差し迫って交換が必要なものでない場合には、部品交換を次回の定期点検日や実際に寿命を迎えた際に行う等の柔軟な対応も可能となる。
【００３４】
認識手段１７は、使用者が注意喚起表示等を確認したか否か等を認識する。認識手段１７は、保守・修理・点検を行う者による各部品の交換が完了したか否かを認識するための部品交換認識手段１７ａと、使用者が確認したか否かを認識するための注意喚起確認済み認識手段１７ｂを有する。
【００３５】
部品交換認識手段１７ａは、部品交換が完了した旨をマイコン１０に認識させるものである。部品交換認識手段１７ａは、部品交換を行った者によるリモコン１１のボタン１１ｂの操作や、外部端末からの入力に基づいて部品交換が完了したことをマイコン１０に認識させる。
【００３６】
注意喚起確認済み認識手段１７ｂは、使用者が注意喚起を確認したことをマイコン１０に認識させるものである。注意喚起確認済み認識手段１７ｂは、定期点検や部品交換を促す注意喚起表示等の表示中に、使用者がリモコン１１のボタン１１ｂのいずれかを操作したときに、使用者が注意喚起表示等を確認したものとみなし、マイコン１０に認識させる。なお、注意喚起表示を表示後、所定時間が経過したことをもって使用者が注意喚起表示を確認したものとみなしてマイコン１０に注意喚起表示が確認されたことを認識させても良い。
【００３７】
リセット手段１８は、部品交換を終えた部品について、「部品の寿命時間１９」等を初期値にしたり、各種表示を解除したりする。リセット手段１８は、部品交換認識手段１７ａが部品交換の完了を認識した際に、タイマ１３や記憶手段１２に保存されている当該部品に関する各種値を初期値に上書きするとともに、注意喚起表示等の各種表示を解除（消灯）する。また、注意喚起確認済み認識手段１７ｂが注意喚起表示を確認したことを認識した際に、注意喚起表示を解除（消灯）する。
【００３８】
次に、寿命残日数の算出、定期点検日の判断等の流れを図３のフローチャートを用いて説明する。
【００３９】
まず、Ｓ１０１〜Ｓ１０４において、寿命判定の対象となる部品が使用中であるかを判定し、使用中であれば、タイマ１３で部品の使用時間をカウントし、使用完了後、タイマを停止する。次に、Ｓ１０５において、時刻が朝７：００であるかを確認し、朝７：００になっていない場合は、朝７：００になるまで当該部品の使用時間の計測を継続し、朝７：００になった段階で、Ｓ１０６において、その部品の１日間の使用時間をタイマ１３から呼び出し、「部品の過去１日間の使用時間２０」として記憶手段１２に上書き保存する。保存後は、タイマ１３の値は「０」にリセットされる。次に、Ｓ１０７において、「部品の累積使用時間２１」に「部品の過去１日間の使用時間２０」が演算手段１４によって加算され、その値が最新の「部品の累積使用時間２１」として記憶手段１２に上書き保存される。
【００４０】
次に、Ｓ１０８において、前日までの「部品の過去７日間の使用時間２２」から、最も古い１日分の使用時間が減算され、最新の「部品の過去１日間の使用時間２０」が加算される。これにより、「部品の過去７日間の使用時間２２」が最新の値に更新されて記憶手段１２に上書き保存される。
【００４１】
次に、Ｓ１０９において、記憶手段１２に記憶されている「部品の寿命時間１９」から、「部品の累積使用時間２１」が演算手段１４によって減算され、その値が「部品の寿命残時間２４」として記憶手段１２に上書き記憶される。
【００４２】
次に、Ｓ１１０において、「部品の過去７日間の使用時間２２」を整数値７で除して、「部品の１日あたりの平均使用時間２３」を算出し、「部品の寿命残時間２４」を「部品の１日あたりの平均使用時間２３」で除し、「部品の寿命残日数２５」を得る。「部品の寿命残日数２５」は記憶手段１２に上書き保存される。「部品の寿命残日数２５」は、使用者や保守・点検・修理を行う者の求めに応じてリモコン１１の表示部１１ａで確認することが出来る。
【００４３】
次に、Ｓ１１１において、今日が定期点検日であるかを確認し、定期点検日でなければ、Ｓ１１５（図４参照）に進む。一方、定期点検日であればＳ１１２に進み、この時点で部品交換を促す注意喚起の対象となっている部品の有無を、「部品交換注意喚起の対象となる部品の有無２８」を元に確認する。「部品交換注意喚起の対象となる部品の有無２８」が「有」となっている場合には、比較手段１５による比較結果に基づいて部品交換注意喚起の対象となる部品について、定期点検喚起表示と併せて、当該部品の部品交換注意喚起表示をリモコン１１の表示部１１ａで行う。一方、「部品交換注意喚起の対象となる部品の有無２８」が「無」となっている場合は、定期点検注意喚起表示のみを表示する。
【００４４】
次に、定期点検の判断等が行われた後の流れを図４のフローチャートを用いて説明する。
【００４５】
Ｓ１１５において、定期点検を促す定期点検注意喚起又は部品交換を促す部品交換注意喚起が表示中であるか否かを確認する。表示中である場合はＳ１１６に進み、表示中でない場合はＳ１１８に進む。Ｓ１１６では、リモコン１１のボタン１１ｂが注意喚起表示中に操作された場合に注意喚起確認済み認識手段１７ｂが、注意喚起表示を使用者が確認したと認識し、Ｓ１１７に進んで注意喚起表示を解除（消灯）する。ボタン１１ｂの操作が無い場合は、まだ使用者が注意喚起を確認していないと認識して、注意喚起は表示したままＳ１１８に進む。なお、Ｓ１１６において、リモコン１１のボタン１１ｂの操作がなくても、注意喚起の表示を所定の時間行った後、使用者が表示を確認したとみなして表示を解除（消灯）してもよい。
【００４６】
次に、Ｓ１１８において、比較手段１５の比較結果が「部品の累積使用時間２１」≧「部品の寿命時間１９」となっている場合には、判断手段１６によって部品交換警告表示がなされる。この場合、Ｓ１１９において、半年以内に寿命を迎えると予想される部品が他にあるか否かが判定される。該当する部品が無い場合は、Ｓ１２１に進み、すでに寿命を迎えた部品のみについて、リモコン１１の表示部１１ａに、寿命を迎えた部品についてのみの部品交換警告表示が行われる。一方、Ｓ１１９において、半年以内に寿命を迎える他の部品があると判定された場合は、Ｓ１２０に進み、寿命を迎えた部品に加えてそれらの部品についても、部品交換警告表示が行われる。
【００４７】
次に、部品交換警告が行われた部品については、Ｓ１２２において、その部品の交換が行われたか否かが判定される。部品交換が既に完了していれば、部品交換時に修理を行った者が該当部品の部品交換を行った旨を部品交換認識手段１７ａによってマイコン１０に認識させる。Ｓ１２３において、タイマ１３の値や、記憶手段１２に保存されている「部品の過去１日間の使用時間２０」、「部品の累積使用時間２１」、「部品の過去７日間の使用時間２２」、「部品の寿命残時間２４」、「部品の寿命残日数２５」、「部品交換注意喚起の対象となる部品の有無２８」等の値がリセット手段１８によって初期値に更新され、その後、Ｓ１２４において当該部品の警告表示が解除（消灯）される。
【００４８】
部品交換を促す警告が行われた部品で、該当部品の交換を行ったことが認識されない部品については、部品交換が行われて、マイコン１０が当該交換を認識するまで、継続して警告を表示し続けても良いし、毎日所定時刻に所定時間表示させても良い。
【００４９】
Ｓ１１８において、「部品の累積使用時間２１」＜「部品の寿命時間１９」となった場合には、判断手段１６によって、その部品は寿命を迎えていないと判断され、Ｓ１２５に進む。Ｓ１２５では、「次回定期点検日までの日数２６」と「部品の寿命残日数２５」を比較し、「次回定期点検日までの日数２６」≧「部品の寿命残日数２５」となる場合は、次回の定期点検日までに、注意喚起表示を行う機会がないため、特別の表示はなされない。
【００５０】
一方、「次回定期点検日までの日数２６」＜「部品の寿命残日数２５」となる場合は、Ｓ１２６において、「次々回定期点検日までの日数２７」と「部品の寿命残日数２５」が比較される。ここで、「次々回定期点検日までの日数２７」≧「部品の寿命残日数２５」となる場合は、Ｓ１２７において、「部品交換注意喚起対象の対象となる部品の有無２８」が「有」とされる。一方、「次々回定期点検日までの日数２７」＜「部品の寿命残日数２５」となる場合は、特別の表示はなされない。
【００５１】
なお、部品交換を促す警告や注意喚起は、リモコン１１の表示部１１ａでの文字による表示が一般的と考えられるが、音声ガイダンス機能を有する製品であれば、音声による警告・注意喚起を併せて行っても良い。
【００５２】
さらに、本発明では、部品交換を促す注意喚起表示は、当該部品が部品寿命を迎える直前の定期点検日に１度だけ表示される制御を採用しているが、警告表示か部品交換が行われるまで、毎日、注意喚起表示を行っても構わない。
【００５３】
このように、部品の寿命残時間２４を保守・修理・点検を行う者や給湯器１の使用者が確認することができるので、予め部品交換の計画を立てることができ、計画的な保守が可能となる。また、本実施の形態では部品の１日あたりの使用時間を考慮して、「部品の寿命残時間２４」を日数に換算した「部品の寿命残日数２５」も表示する。「部品の寿命残時間２４」は、対象となる部品がこれから正味どれだけの時間使用されると寿命を迎えるかを示す値であり、そのままの値を表示しても、使用者や保守・点検・修理を行う者が、どの程度の日数で寿命を迎えるかを予測することは難しいが、「部品の寿命残日数２５」が表示されることで、保守・点検・修理を行う者や使用者は、より具体的な保守計画をたてることができる。
【００５４】
また、定期点検の際にも、その時点からあまり時間を置かず（本実施の形態では３０日以内）に寿命を迎える部品がある場合には、部品交換を促す注意喚起がされるため、実際に部品が寿命を迎える前に部品を交換することができ、計画的な保守が可能となる。部品が実際に寿命を迎える前に注意喚起がなされるので、使用者は、安心感を持ってこの給湯器１を使用することができる。この注意喚起がなされた時点で部品を交換していれば、部品交換が警告されることがほとんどなくなり、使用者に対してより一層の高い安心感を与えることが出来る。なお、注意喚起ではなく、部品の交換を警告して、部品交換の必要性を保守・修理・点検を行う者に強く伝えるようにしてもよい。
【００５５】
また、ある部品が寿命を迎え、その部品の交換が警告される場合、その警告時点からあまり時間を置かず（本実施の形態では半年以内）に寿命を向かえる部品があれば、その部品の交換も含めて警告されるため、その時点ですべての部品を交換すれば、各部品が寿命を迎えるたびに交換作業を行う必要が無くなり、効率的な保守が可能となる。
【００５６】
なお、本実施の形態では注意喚起や警告として、リモコン１１の表示部１１ａに所定の表示を行っているが、音声によって注意喚起や警告を行ってもよい。使用者の注意喚起や警告の見逃しを防いで、より安心感のある給湯器とすることができる。
【産業上の利用可能性】
【００５７】
以上のように、本発明にかかる給湯器は、部品交換の注意喚起や警告を行う給湯器に有用であり、特に、効率的かつ計画的な保守をすることのできる給湯器に適している。
【図面の簡単な説明】
【００５８】
【図１】実施の形態に係る給湯器の概略構成を示す図である。
【図２】リモコン及びマイコンの概略構成を示す図である。
【図３】寿命残日数の算出、定期点検日の判断等の流れを説明するためのフローチャートである。
【図４】定期点検の判断等が行われた後の流れを説明するためのフローチャートである。
【符号の説明】
【００５９】
１  給湯器
２  貯湯タンク
３  減圧弁
４  逃し弁
５  混合弁
６  流量センサ
７  温度センサ
８ａ  給湯配管
８ｂ  給水配管
８ｃ  混合湯配管
１０  マイコン
１１  リモコン（報知手段）
１１ａ  表示部
１１ｂ  ボタン
１２  記憶手段
１３  タイマ（計測手段）
１４  演算手段
１５  比較手段
１６  判断手段（警告手段）
１７  認識手段
１７ａ  部品交換認識手段
１７ｂ  注意喚起確認済み認識手段
１８  リセット手段
１９  部品の寿命時間
２０  部品の過去１日間の使用時間
２１  部品の累積使用時間
２２  部品の過去７日間の使用時間
２３  部品の１日あたりの平均使用時間
２４  部品の寿命残時間
２５  部品の寿命残日数
２６  次回点検日までの日数（定期点検日までの日数）
２７  次々回点検日までの日数（定期点検日までの日数）
２８  部品交換注意喚起の対象となる部品の有無
【図１】
2010002146.tif 000003
【図２】
2010002146.tif 000004
【図３】
2010002146.tif 000005
【図４】
2010002146.tif 000006